(57)【特許請求の範囲】
【請求項１】
携帯電話機（２０）に接続されたカラオケ用リモコン装置（１００）から、携帯電話機とインターネットを接続する情報提供サービスサーバ（４１）を介してアクセスが発生すると、当該カラオケ用リモコン装置（１００）へ、楽曲番号データ及び検索プログラム更新のための初期画面を表示して識別情報入力を促すためのデータを所定の記憶装置から読み出して送信する初期画面送信手段と、
前記初期画面の表示データを送信したカラオケ用リモコン装置（１００）から、対応するカラオケ端末装置のメーカー名と機種名を特定し且つ現在記憶している楽曲番号データと検索プログラムのバージョンを特定する識別情報が受信されると、当該識別情報を、所定の記憶装置が持つデータベースの当該メーカー名と機種名に該当する中で最新の楽曲番号データ及び検索プログラムと比較して配信可能な情報のリストを作成して、当該カラオケ用リモコン装置（１００）へ送信するリスト送信手段と、
前記リストを送信したカラオケ用リモコン装置（１００）から、所望の楽曲番号データ及び／又は検索プログラムを選択するデータが受信されると、当該選択された楽曲番号データ及び／又は検索プログラムを所定の記憶装置が持つデータベースから読み出して当該カラオケ用リモコン装置（１００）へ送信するとともに、当該送信した楽曲番号データ及び／又は検索プログラムに基づいて課金情報を生成して当該カラオケ用リモコン装置（１００）が接続された携帯電話機（２０）に対応付けて前記情報提供サービスサーバ（４１）へ送信するデータ送信手段と、
を有することを特徴とする楽曲番号データ配信サーバ（３０）。
【請求項２】
携帯電話機とインターネットを接続する情報提供サービスサーバ（４１）と、接続された携帯電話機（２０）を用い前記情報提供サービスサーバ（４１）を介してアクセスしてくるカラオケ用リモコン装置（１００）へ楽曲番号データ及び／又は検索プログラムを配信する楽曲番号データ配信サーバ（３０）とを有する楽曲番号データ配信システムであって、
前記楽曲番号データ配信サーバ（３０）は、
携帯電話機（２０）に接続されたカラオケ用リモコン装置（１００）から、前記情報提供サービスサーバ（４１）を介してアクセスが発生すると、当該カラオケ用リモコン装置（１００）へ、楽曲番号データ及び検索プログラム更新のための初期画面を表示して識別情報入力を促すためのデータを所定の記憶装置から読み出して送信する初期画面送信手段と、
前記初期画面の表示データを送信したカラオケ用リモコン装置（１００）から、対応するカラオケ端末装置のメーカー名と機種名を特定し且つ現在記憶している楽曲番号データと検索プログラムのバージョンを特定する識別情報が受信されると、当該識別情報を、所定の記憶装置が持つデータベースの当該メーカー名と機種名に該当する中で最新の楽曲番号データ及び検索プログラムと比較して配信可能な情報のリストを作成して、当該カラオケ用リモコン装置（１００）へ送信するリスト送信手段と、
前記リストを送信したカラオケ用リモコン装置（１００）から、所望の楽曲番号データ及び／又は検索プログラムを選択するデータが受信されると、当該選択された楽曲番号データ及び／又は検索プログラムを所定の記憶装置が持つデータベースから読み出して当該カラオケ用リモコン装置（１００）へ送信するとともに、当該送信した楽曲番号データ及び／又は検索プログラムに基づいて課金情報を生成して当該カラオケ用リモコン装置（１００）が接続された携帯電話機（２０）に対応付けて前記情報提供サービスサーバ（４１）へ送信するデータ送信手段とを有し、
前記情報提供サービスサーバ（４１）は、
前記楽曲番号データ配信サーバ（３０）から課金情報が受信されると、当該課金情報に対応付けられている携帯電話機に課金する課金手段を有する、
ことを特徴とする楽曲番号データ配信システム。
【発明の詳細な説明】
【０００１】
【発明の属する技術分野】
この発明は、楽曲番号データ配信サーバ、楽曲番号データ配信システムに関する。
【０００２】
【従来の技術】
従来の通信カラオケ用リモコン装置は通信カラオケ装置とセットで使用され、利用者が通信カラオケ装置にリクエスト曲を演奏予約させたいときは、カラオケ曲を楽曲目次本から探し出し、それぞれの楽曲に割り振られた楽曲番号を照合し、通信カラオケ用リモコン装置の操作パネルを操作して楽曲番号を入力する。
【０００３】
そして、予約を指示すると、リクエスト曲の楽曲番号に対応した識別情報を含んだリモコン信号が通信カラオケ装置に向けて送信させ、演奏予約が完了する。
【０００４】
このように従来の通信カラオケ用リモコン装置では、利用者がカラオケを予約するには、一曲毎に楽曲目次本を参照しなければならないという煩わしさがあり、他の人が通信カラオケ用リモコン装置を使用しているときは、それが終わるのを待たなければならなかった。
【０００５】
そこで、通信カラオケ用リモコン装置に楽曲番号データベースと該楽曲番号の検索機能を持たせて、楽曲目次本を参照することなしに、楽曲の予約ができる通信カラオケ用リモコン装置が普及しつつある。
【０００６】
このような通信カラオケ用リモコン装置では、通信カラオケ装置で演奏可能な楽曲の更新に合わせて、通信カラオケ用リモコン装置に記憶した楽曲番号データベースも更新する必要があるが、従来の通信カラオケ用リモコン装置では、楽曲番号データベースを記憶した可搬式メモリ装置の入れ替え、若しくは、通信カラオケ装置に接続して、楽曲番号データベースをダウンロードしていた。
【０００７】
しかしながら、可搬式メモリ装置の入れ替えでは、入れ替え用のメモリ装置を用意するなど、準備作業が大変であり、また、通信カラオケ装置に接続する場合には、後付けでリモコン装置を付ける場合には、通信カラオケ装置がリモコン装置に対応していないために接続できない場合が多く、楽曲番号データのダウンロードができない、という問題があった。
【０００８】
【発明が解決しようとする課題】
そこで、遠方のセンターより、通信技術を使って、楽曲番号データを通信カラオケ用リモコン装置に直接ダウンロードする方法が検討されている。
【０００９】
しかしながら、このようなダウンロード方法を採用した場合、楽曲番号データの料金徴収に問題が生じる。即ち、通信カラオケ装置の楽曲データ配信も請け負っている場合は、楽曲料金と同一の仕組みで、料金の徴収が可能であるが、通信カラオケ装置の楽曲データ配信を請け負っていない場合は、料金徴収のシステムが存在しない。
【００１０】
従って、通信カラオケ用リモコン装置の楽曲番号データベースの更新を無償でサービスすることを強要されてしまうことも考えられる。
【００１１】
本発明はこのような事情に鑑みなされたものであり、楽曲番号データベースの更新料金を容易に徴収することができる楽曲番号データ配信サーバ、楽曲番号データ配信システムを提供することを目的とする。
【００１２】
【課題を解決するための手段】
本発明は、下記［１］〜［２］のように構成される。
［１］構成１：
携帯電話機（２０）に接続されたカラオケ用リモコン装置（１００）から、携帯電話機とインターネットを接続する情報提供サービスサーバ（４１）を介してアクセスが発生すると、当該カラオケ用リモコン装置（１００）へ、楽曲番号データ及び検索プログラム更新のための初期画面を表示して識別情報入力を促すためのデータを所定の記憶装置から読み出して送信する初期画面送信手段と、
前記初期画面の表示データを送信したカラオケ用リモコン装置（１００）から、対応するカラオケ端末装置のメーカー名と機種名を特定し且つ現在記憶している楽曲番号データと検索プログラムのバージョンを特定する識別情報が受信されると、当該識別情報を、所定の記憶装置が持つデータベースの当該メーカー名と機種名に該当する中で最新の楽曲番号データ及び検索プログラムと比較して配信可能な情報のリストを作成して、当該カラオケ用リモコン装置（１００）へ送信するリスト送信手段と、
前記リストを送信したカラオケ用リモコン装置（１００）から、所望の楽曲番号データ及び／又は検索プログラムを選択するデータが受信されると、当該選択された楽曲番号データ及び／又は検索プログラムを所定の記憶装置が持つデータベースから読み出して当該カラオケ用リモコン装置（１００）へ送信するとともに、当該送信した楽曲番号データ及び／又は検索プログラムに基づいて課金情報を生成して当該カラオケ用リモコン装置（１００）が接続された携帯電話機（２０）に対応付けて前記情報提供サービスサーバ（４１）へ送信するデータ送信手段と、
を有することを特徴とする楽曲番号データ配信サーバ（３０）。
【００１３】
［２］構成２：
携帯電話機とインターネットを接続する情報提供サービスサーバ（４１）と、接続された携帯電話機（２０）を用い前記情報提供サービスサーバ（４１）を介してアクセスしてくるカラオケ用リモコン装置（１００）へ楽曲番号データ及び／又は検索プログラムを配信する楽曲番号データ配信サーバ（３０）とを有する楽曲番号データ配信システムであって、
前記楽曲番号データ配信サーバ（３０）は、
携帯電話機（２０）に接続されたカラオケ用リモコン装置（１００）から、前記情報提供サービスサーバ（４１）を介してアクセスが発生すると、当該カラオケ用リモコン装置（１００）へ、楽曲番号データ及び検索プログラム更新のための初期画面を表示して識別情報入力を促すためのデータを所定の記憶装置から読み出して送信する初期画面送信手段と、
前記初期画面の表示データを送信したカラオケ用リモコン装置（１００）から、対応するカラオケ端末装置のメーカー名と機種名を特定し且つ現在記憶している楽曲番号データと検索プログラムのバージョンを特定する識別情報が受信されると、当該識別情報を、所定の記憶装置が持つデータベースの当該メーカー名と機種名に該当する中で最新の楽曲番号データ及び検索プログラムと比較して配信可能な情報のリストを作成して、当該カラオケ用リモコン装置（１００）へ送信するリスト送信手段と、
前記リストを送信したカラオケ用リモコン装置（１００）から、所望の楽曲番号データ及び／又は検索プログラムを選択するデータが受信されると、当該選択された楽曲番号データ及び／又は検索プログラムを所定の記憶装置が持つデータベースから読み出して当該カラオケ用リモコン装置（１００）へ送信するとともに、当該送信した楽曲番号データ及び／又は検索プログラムに基づいて課金情報を生成して当該カラオケ用リモコン装置（１００）が接続された携帯電話機（２０）に対応付けて前記情報提供サービスサーバ（４１）へ送信するデータ送信手段とを有し、
前記情報提供サービスサーバ（４１）は、
前記楽曲番号データ配信サーバ（３０）から課金情報が受信されると、当該課金情報に対応付けられている携帯電話機に課金する課金手段を有する、
ことを特徴とする楽曲番号データ配信システム。
【００１４】
【発明の実施の形態】
以下、この発明の実施の形態を図に基づいて説明する。
【００１５】
図１はこの発明の実施形態である通信カラオケ用リモコン装置１００を含む楽曲番号データベースの更新システム１０の概略構成を示した説明図、図２は通信カラオケ用リモコン装置１００のブロック構成図、図３は楽曲番号データベースの更新処理の流れを示したフローチャートである。
【００１６】
図１に示すように、通信カラオケ用リモコン装置１００は、楽曲番号データの受信を行う携帯電話機２０が接続され、楽曲番号データの更新情報提供事業者が楽曲番号データ配信サーバ３０により提供する更新楽曲番号データを携帯電話通信事業者の情報提供サービスサーバ（課金サーバ兼用）４１および中継基地局４０を介して受信する。尚、前記更新情報提供事業者は楽曲番号データを携帯電話通信事業者が提供する課金可能な情報提供サービス（例えば、ｉ−ｍｏｄｅ（専用の携帯電話を端末にして，電子メールの送受信や情報の閲覧などを可能にするサービス。ＮＴＴドコモが 1999 年（平成 11）にサービス開始。商標。））を利用して配信する。
【００１７】
通信カラオケ端末装置５０は、通信カラオケシステムのユーザ用端末であり、スピーカ５２及びマイク５１を備える。通信カラオケ端末装置５０は、通信カラオケ配信センターのサーバ８０からカラオケ演奏用の楽曲情報の配信を受け、配信された楽曲情報を蓄積し、前記通信カラオケ用リモコン装置１００を利用して、ユーザが演奏指示を行うと、指示された楽曲情報を読み出して、復号化して、カラオケ音楽を再生する。６０は、ネットワーク、７０，７１はアクセスポイントである。
【００１８】
更新情報提供事業者のサーバ３０は、携帯電話機２０の通信事業者が行う通信ネットワークに接続するためのモデム３１を備え、通信カラオケメーカーが提供する最新の楽曲配信情報に対応した最新の楽曲番号データを配信する。尚、配信する楽曲番号データは、通信カラオケ用リモコン装置１００が保有するデータと前記サーバ３０が保有するデータとを比較して、差分があれば、その差分データのみを配信するように構成することもできる。
【００１９】
図２は上記通信カラオケ用リモコン装置１００のブロック構成図であり、１１０は前記通信カラオケ端末装置５０にリクエスト入力を行うためのリモコン制御信号（遠隔制御信号）を送信する赤外線送信部、１２０は携帯電話機２０の接続ケーブル２１が接続されて携帯電話機２０から楽曲番号データを受信するシリアル通信部、１３０は前記受信した楽曲番号データからなる楽曲番号データベースや検索用プログラム等を記憶するメモリ、１４０は楽曲検索やリモコン操作を行うためのキー操作部、１５０はＬＣＤ表示部、１６０は駆動用電池、１７０は前記各部を制御すると共に、受信した楽曲番号データ等を前記メモリ１３０に記憶制御するＣＰＵである。
【００２０】
図３は通信カラオケ用リモコン装置１００において、楽曲番号データの配信を受ける際の処理の流れを示したフローチャートである。
【００２１】
通信カラオケ用リモコン装置１００の楽曲番号データの更新を行う際は、通信カラオケ用リモコン装置１００側から楽曲番号データ配信サーバ３０にアクセスする（ステップ１０１、以下、ステップをＳと称する。図面において同じ）。楽曲番号データ配信サーバ３０へのアクセスは、携帯電話機２０を利用して行い、携帯電話機２０から携帯電話機２０の通信事業者が提供する情報サービスサイトから前記更新情報提供事業者のサーバ３０のアドレスを指定してアクセスを行う。
【００２２】
前記サーバ３０へのアクセスは、通信事業者の課金サーバ４１に登録され、前記アクセスに対する課金情報が記録される。
【００２３】
前記更新情報提供事業者のサーバ３０では、アクセス要求を受信すると、楽曲番号の更新を行うホームページ画面を携帯電話機２０上に表示する（Ｓ１０２）。この画面では、通信カラオケ用リモコン装置１００が接続されている通信カラオケ端末装置５０のメーカー名、機種名、記憶している楽曲番号データや検索プログラムのバージョン情報など更新に必要な識別情報の入力を要求する。
【００２４】
前記通信カラオケ用リモコン装置１００から上記更新に必要な識別情報が送信されると（Ｓ１０３）、サーバ３０では現在の最新曲情報や最新プログラム情報と比較して、該通信カラオケ用リモコン装置１００に対して配信可能な情報のリストを通信カラオケ用リモコン装置１００へ送信する（Ｓ１０４）。
【００２５】
通信カラオケ用リモコン装置１００では、表示された更新可能な情報のリストを確認して、更新を希望する場合には、更新を指示する（Ｓ１０５）。この際、更新するメニュー（楽曲番号データ、検索プログラム等）を個別に選択することもできる。
【００２６】
サーバ３０は、通信カラオケ用リモコン装置１００から更新指示情報を受け取ると（Ｓ１０５）、指示された更新データ（最新の楽曲番号データ、検索プログラム等）を通信カラオケ用リモコン装置１００へ送信する（Ｓ１０６）。
【００２７】
サーバ３０は、通信カラオケ用リモコン装置１００への更新により、最終的な課金情報を前記通信事業者の情報提供サービスサーバ４１（課金サーバ兼用）に通知する。
【００２８】
通信事業者は、前記課金情報に基づいて、利用した携帯電話機２０のユーザに課金を行う。これにより更新情報提供事業者は、通信事情者から楽曲番号データベースの更新料金を容易に徴収することができる。
【００２９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００３０】
【発明の効果】
以上説明したように、この発明によれば、楽曲番号データベースの更新料金を容易に徴収することができる楽曲番号データ配信サーバ、楽曲番号データ配信システムを提供することができる。
【図面の簡単な説明】
【図１】  この発明の実施の形態である通信カラオケ用リモコン装置１００を含む楽曲番号データベースの更新システム１０の概略システム構成を示した説明図である。
【図２】  この発明の実施の形態にかかる図２は通信カラオケ用リモコン装置１００のブロック構成図である。
【図３】  この発明の実施の形態にかかる図３は楽曲番号データベースの更新処理の流れを示したフローチャートである。
１００    通信カラオケ用リモコン装置
１０    楽曲番号データベースの更新システム
２０    携帯電話機
３０    更新情報提供事業者のサーバ
３１    モデム
４０    携帯電話通信事業者の中継基地局４０
４１    課金サーバ
１１０    赤外線送信部
１２０    シリアル通信部
１３０    メモリ
１４０    キー操作部
１５０    ＬＣＤ表示部
１６０    電池
１７０    ＣＰＵ
【図１】
0004008775.tif 000002
【図２】
0004008775.tif 000003
【図３】
0004008775.tif 000004